(57)【要約】【要  約】【課  題】    複数の加熱装置を切り換えて作動させるヒートポンプ式加熱システムにおいて、加熱装置の切り換え後における冷媒不足を防止する。【解決手段】  室外機（１）に並列に接続された２台の加熱装置である空調用室内機（１６）と温水ユニット（１７）とを交互に切り換えて作動させるヒートポンプ式加熱システムにおいて、室内機による暖房から温水ユニットによる暖房への切り換え時に、第１加熱装置用第２弁（５８）を閉じて、室外機を一旦冷房運転モードにして運転し、室外機側に冷媒を回収し、ついで、第１加熱装置用第１弁（３８）を閉じた後に、第２加熱装置用第１弁（４２）および第２加熱装置用第２弁（６２）を開けて、室外機を暖房運転モードにする。【選択図】  図１
2005164202.tif 000002
【特許請求の範囲】
【請求項１】
空調用室内機や温水ユニットなどの第１および第２加熱装置と、
圧縮機、膨張弁、熱交換器、アキュムレータ、第１冷媒口および第２冷媒口を具備するとともに、圧縮機からの冷媒が、第１冷媒口、前記加熱装置、第２冷媒口、膨張弁、熱交換器およびアキュムレータの順に流れて再び圧縮機に戻ってくる暖房運転モードと、圧縮機からの冷媒が、熱交換器、膨張弁、第２冷媒口、加熱装置、第１冷媒口およびアキュムレータの順に流れて再び圧縮機に戻ってくる冷房運転モードとに切り換わることができるヒートポンプ式の室外機と、
前記室外機の第１冷媒口からの流路を第１加熱装置の第１冷媒口への流路または第２加熱装置の第１冷媒口への流路に切り換えて接続する第１流路切換手段と、前記室外機の第２冷媒口からの流路を第１加熱装置の第２冷媒口への流路または第２加熱装置の第２冷媒口への流路に切り換えて接続する第２流路切換手段とを具備する切換ユニットと、
前記室外機、第１流路切換手段および第２流路切換手段を制御する制御手段を備えたヒートポンプ式加熱システムであって、
前記制御手段が、室外機からの冷媒による加熱を第１加熱装置から第２加熱装置に切り換える際には、室外機の第１冷媒口が第１加熱装置の第１冷媒口に接続されている状態で、暖房運転モードの室外機を一旦冷房運転モードに切り換えるとともに、第２流路切換手段を作動させて室外機の第２冷媒口と第１加熱装置の第２冷媒口との接続を遮断して、第１加熱装置の冷媒を室外機側に回収し、その後、室外機の第１冷媒口が第２加熱装置の第１冷媒口に、また、室外機の第２冷媒口が第２加熱装置の第２冷媒口に接続された状態で、室外機を暖房運転モードにしていることを特徴とするヒートポンプ式加熱システム。
【発明の詳細な説明】
【技術分野】
【０００１】
本発明は、ヒートポンプ式室外機からの冷媒により、空調用室内機や温水ユニットなどの加熱装置を作動させるヒートポンプ式加熱システムに関する。
【背景技術】
【０００２】
従来のヒートポンプ式加熱システムにおいては、たとえば特許文献１に記載されているように、１台の室外機に、空調用室内機および床暖房用の温水ユニットなどの加熱装置を複数並列に接続して併用しているものがある。この特許文献１のものでは、空調用室内機と温水ユニットは同時に作動することができる。
【０００３】
しかしながら、空調用室内機および温水ユニットを同時に作動させるためには、室外機は、２台の加熱装置を作動させるのに要する大きな能力が必要となり、製造コストや価格が高くなる。そこで、室外機の能力を、１台の加熱装置を作動させるのに必要な値に抑えて、空調用室内機と温水ユニットとを交互に作動させることが検討されている。ところで、室外機の暖房運転モードの際には、冷媒は室外機から吐出されて加熱装置側に溜まっている。そのため、前述のように、複数の加熱装置を切り換えて作動させると、切り換え前に作動していた加熱装置に冷媒が滞留し、切り換え後に、冷媒が不足することがある。
【特許文献１】特開平１１−２８７５０１号公報
【発明の開示】
【発明が解決しようとする課題】
【０００４】
解決しようとする問題点は、複数の加熱装置を切り換えて作動させるヒートポンプ式加熱システムにおいて、加熱装置の切り換え後に、冷媒の不足が生じるおそれがある点である。
【課題を解決するための手段】
【０００５】
本発明のヒートポンプ式加熱システムは、空調用室内機（１６）や温水ユニット（１７）などの第１および第２加熱装置と、圧縮機（１１）、膨張弁（２６）、熱交換器（２７）、アキュムレータ（２８）、第１冷媒口（１３）および第２冷媒口（２４）を具備するとともに、圧縮機からの冷媒が、第１冷媒口、前記加熱装置、第２冷媒口、膨張弁、熱交換器およびアキュムレータの順に流れて再び圧縮機に戻ってくる暖房運転モードと、圧縮機からの冷媒が、熱交換器、膨張弁、第２冷媒口、加熱装置、第１冷媒口およびアキュムレータの順に流れて再び圧縮機に戻ってくる冷房運転モードとに切り換わることができるヒートポンプ式の室外機（１）と、前記室外機の第１冷媒口からの流路を第１加熱装置の第１冷媒口（４１）への流路または第２加熱装置の第１冷媒口（４３）への流路に切り換えて接続する第１流路切換手段（３８，４２，８６，９１）と、前記室外機の第２冷媒口からの流路を第１加熱装置の第２冷媒口（６１）への流路または第２加熱装置の第２冷媒口（６３）への流路に切り換えて接続する第２流路切換手段（５８，６２，８７，９２）とを具備する切換ユニット（３１）と、前記室外機、第１流路切換手段および第２流路切換手段を制御する制御手段（８１）を備えている。そして、前記制御手段が、室外機からの冷媒による加熱を第１加熱装置から第２加熱装置に切り換える際には、室外機の第１冷媒口が第１加熱装置の第１冷媒口に接続されている状態で、暖房運転モードの室外機を一旦冷房運転モードに切り換えるとともに、第２流路切換手段を作動させて室外機の第２冷媒口と第１加熱装置の第２冷媒口との接続を遮断して、第１加熱装置の冷媒を室外機側に回収し、その後、室外機の第１冷媒口が第２加熱装置の第１冷媒口に、また、室外機の第２冷媒口が第２加熱装置の第２冷媒口に接続された状態で、室外機を暖房運転モードにしている。
【発明の効果】
【０００６】
本発明によれば、１台の室外機に複数の加熱装置を並列に接続し、この加熱装置を交互に切り換えて作動させるとともに、加熱装置の切り換え時に、室外機を一旦暖房運転モードから冷房運転モードに切り換えて、冷媒を室外機側に回収しているので、室外機の能力を１台の加熱装置の作動に必要な値に抑えることができるとともに、加熱装置の切り換え後における冷媒不足を防止することができる。その結果、室外機の製造コストを削減することができるとともに、加熱装置を円滑に切り換えて作動させることができる。
【発明を実施するための最良の形態】
【０００７】
ヒートポンプ式加熱システムにおいて、複数の加熱装置を切り換えて作動させることにより室外機の容量を小さくするとともに、加熱装置の切り換え後における冷媒の不足を極力生じさせないという目的を、加熱装置の切り換え時に、室外機を一旦暖房運転モードから冷房運転モードに切り換えて運転して、加熱装置に溜まった冷媒を室外機側に回収することにより実現した。
【実施例１】
【０００８】
次に、本発明におけるヒートポンプ式加熱システムの一実施例について、図１ないし図４を用いて説明する。図１は本発明における実施例のヒートポンプ式加熱システムの概略図である。図２は室外機の冷媒回路図で、（ａ）が暖房運転モード時の状態の図、（ｂ）が冷房運転モード時の状態の図である。図３は制御装置の入出力図である。図４は加熱装置の切り換え時のフローチャートである。なお、図３において、制御装置の入出力は主要な部品のみが図示されており、これ以外の他の各種部品も制御装置に接続されている。
【０００９】
ヒートポンプ式の室外機１は、図２に図示する冷凍サイクルで構成されており、図２（ａ）の暖房運転モードと図２（ｂ）の冷房運転モードとに切り換えることができる。図２（ａ）の暖房運転モードでは、圧縮機１１は、ガス状の冷媒（たとえば、Ｒ４１０Ａ、Ｒ２２、ＣＯ2 など）を圧縮して高温の冷媒を生成し、この冷媒を冷媒流路切換機構としての四方切換弁１２を介して、第１冷媒口１３から外部に吐出し、加熱装置として空調用室内機１６や温水ユニット１７を巡った後に第２冷媒口２４に戻ってくる。第２冷媒口２４に戻ってきた冷媒は、減圧装置としての電磁式の膨張弁２６に流入する。そして、膨張弁２６で膨張して低温となった冷媒は、冷媒対空気熱交換器２７に流入する。この熱交換器２７において、冷媒は外気と熱交換して温められる。この温度の上昇した冷媒は四方切換弁１２およびアキュムレータ２８を介して圧縮機１１に戻る。この様にして、暖房運転モードでは、室外機１は高い温度の冷媒を室内機１６や温水ユニット１７などに供給することができる。
【００１０】
一方、図２（ｂ）の冷房運転モードでは、四方切換弁１２が切り換わっており、圧縮機１１から吐出されたガス状の冷媒は、四方切換弁１２を介して熱交換器２７に流入し、この熱交換器２７において、冷媒は外気と熱交換して冷却され、膨張弁２６に流入する。そして、膨張弁２６で膨張して低温となった冷媒は、第２冷媒口２４から外部に吐出される。一方、第１冷媒口１３から吸い込まれる冷媒は四方切換弁１２およびアキュムレータ２８を介して圧縮機１１に戻る。この冷房運転モードの状態で、室外機１の第１冷媒口１３および第２冷媒口２４に室内機１６が接続されて、室外機１からの低温の冷媒が室内機１６に循環すると、室内機１６の送風機を運転させて冷房することが可能となる。この様にして、室外機１は、冷媒流路切換機構である四方切換弁１２を切り換えることにより、圧縮機１１からの冷媒が、室内機１６や温水ユニット１７などの加熱装置、膨張弁２６、熱交換器２７、アキュムレータ２８の順に流れて再び圧縮機１１に戻ってくる暖房運転モードと、冷媒が、第１冷媒口１３からアキュムレータ２８を介して圧縮機１１に吸い込まれるとともに、圧縮機１１から冷媒対空気熱交換器２７、膨張弁２６、第２冷媒口２４に流れる冷房運転モードとに切り換わることができる。
【００１１】
室外機１の第１冷媒口１３および第２冷媒口２４は各々、切換ユニット３１の第１流路３３および第２流路３４に接続されている。第１流路３３は、第１加熱装置用第１分岐路３６および第２加熱装置用第１分岐路３７に分岐し、この第１加熱装置用第１分岐路３６が開閉弁である第１加熱装置用第１弁３８を介して第１加熱装置としての室内機１６の第１冷媒口４１に接続される。そして、第２加熱装置用第１分岐路３７が開閉弁である第２加熱装置用第１弁４２を介して第２加熱装置としての温水ユニット１７の第１冷媒口４３に接続される。第２流路３４も、第１流路３３と略同様にして、第１加熱装置用第２分岐路５６および第２加熱装置用第２分岐路５７に分岐し、この第１加熱装置用第２分岐路５６が開閉弁である第１加熱装置用第２弁５８を介して室内機１６の第２冷媒口６１に接続される。そして、第２加熱装置用第２分岐路５７が開閉弁である第２加熱装置用第２弁６２を介して温水ユニット１７の第２冷媒口６３に接続される。
【００１２】
そして、上述の第１加熱装置用第１弁３８および第２加熱装置用第１弁４２は、室外機１の第１冷媒口１３からの第１流路３３を室内機１６の第１冷媒口４１への第１加熱装置用第１分岐路３６または温水ユニット１７の第１冷媒口４３への第２加熱装置用第１分岐路３７に切り換えて接続する第１流路切換手段を構成する。また、第１加熱装置用第２弁５８および第２加熱装置用第２弁６２は、室外機１の第２冷媒口２４からの第２流路３４を室内機１６の第２冷媒口６１への第１加熱装置用第２分岐路５６または温水ユニット１７の第２冷媒口６３への第２加熱装置用第２分岐路５７に切り換えて接続する第２流路切換手段を構成する。
【００１３】
温水ユニット１７の第１冷媒口４３と第２冷媒口６３とは、冷媒対循環水熱交換器６６の冷媒流路で接続されている。この冷媒対循環水熱交換器６６において、冷媒流路の冷媒との熱交換により循環水が加熱される。そして、冷媒対循環水熱交換器６６で加熱された循環水は、往き流路７１を流れ、熱動弁７２を介して床暖パネル７３に流入し床暖パネル７３を加熱する。熱動弁７２は、床暖パネル７３における循環水の流れをＯＮ−ＯＦＦ制御する。また、床暖パネル７３から流れ出た循環水は、戻り流路７６を流れ、所謂膨張タンクであるシステムタンク７７および循環水を循環させる循環ポンプ７８を介して冷媒対循環水熱交換器６６に戻る。また、往き流路７１の中間部と戻り流路７６の中間部とは、バイパス流路７９で接続されている。そして、循環水温度センサ８０が往き流路７１または戻り流路７６に設けられ、循環水の温度を検出する。
【００１４】
そして、ヒートポンプ式加熱システムの制御手段である制御装置８１はマイコンなどで構成されている。この制御装置８１には種々の電気部品が接続されているが、主な電気部品としては、図３に図示するように、室内機用コントローラ８２、床暖房コントローラ８３および室外機１が入出力可能に接続されている。また、制御装置８１の入力側に循環水温度センサ８０などが接続され、一方、出力側に、第１加熱装置用第１弁３８、第２加熱装置用第１弁４２、第１加熱装置用第２弁５８、第２加熱装置用第２弁６２、循環ポンプ７８および熱動弁７２などが接続されている。そして、制御装置８１にはタイマが内蔵されており、経過時間などを計測することができるとともに、制御用プログラムが記憶されている。さらに、制御装置８１には予め種々の設定値が設定される。また、室内機用コントローラ８２の冷暖房スイッチ（図示しない）を操作することにより、冷房や暖房の発停信号が室内機用コントローラ８２から制御装置８１に出力される。
【００１５】
この様に構成されている実施の形態のヒートポンプ式加熱システムは、床暖房および室内機の空調の動作を行うことができる。以下に、その各動作を説明する。
まず、床暖房の動作について説明する。
床暖房コントローラ８３の床暖房スイッチ（図示しない）を操作することにより、床暖房の発停信号が床暖房コントローラ８３から制御装置８１に出力される。そして、床暖房コントローラ８３から床暖房運転信号が制御装置８１に出力されると、制御装置８１は室外機１に暖房運転を指示するとともに、第１加熱装置用第１弁３８および第１加熱装置用第２弁５８を閉じた状態に、また、第２加熱装置用第１弁４２および第２加熱装置用第２弁６２が開いた状態にする。そして、室外機１は図２（ａ）に図示する暖房運転モードになるとともに圧縮機１１が稼働して高温の冷媒を冷媒対循環水熱交換器６６に吐出する。この冷媒対循環水熱交換器６６において、冷媒との熱交換により循環水が加熱される。また、制御装置８１からの稼働信号により、循環ポンプ７８が稼働し、加熱された循環水が往き流路７１、床暖パネル７３および戻り流路７６を巡って循環する。この様にして、加熱した循環水を床暖パネル７３に循環させることにより床暖房運転が行われる。この時、制御装置８１は、循環水温度センサ８０の検出温度が、床暖房コントローラ８３に設定された循環水設定温度（たとえば、４０〜６０℃）となるように、室外機１の運転出力を制御する。
【００１６】
そして、床暖房コントローラ８３は、内蔵している室温センサの検出した室温と、この床暖房コントローラ８３に設定されている設定室温とを比較し、その温度差に応じて熱動弁７２のＯＮ−ＯＦＦ周期を変更するＯＮ−ＯＦＦ周期可変信号を制御装置８１に出力する。制御装置８１はこの信号を受けて、熱動弁７２を開閉して床暖パネル７３への循環水を制御し、室温が設定室温となるようにしている。
【００１７】
次に、室内機１６の空調の動作について説明する。
室外機１を稼働させる際には、制御装置８１は第１加熱装置用第１弁３８および第１加熱装置用第２弁５８を開いた状態に、また、第２加熱装置用第１弁４２および第２加熱装置用第２弁６２が閉じた状態にする。そして、暖房する際には、制御装置８１は室外機１を暖房運転モードにして稼働させるとともに、室内機１６の送風機を運転させる。すると、この室内機１６から温風が吹き出し、暖房を行うことができる。一方、冷房する際には、制御装置８１は室外機１を冷房運転モードにして稼働させるとともに、室内機１６の送風機を運転させる。すると、この室内機１６から冷風が吹き出し冷房を行うことができる。
【００１８】
ところで、室外機１を暖房運転モードにした際には、冷媒は室内機１６や温水ユニット１７に溜まるので、室内機１６による暖房から、床暖パネル７３による床暖房に切り換える際には、室内機１６に溜まった冷媒を室外機１側に回収する必要がある。また、同様に、床暖パネル７３による床暖房から、室内機１６による暖房に切り換える際には、床暖パネル７３に溜まった冷媒を室外機１側に回収する必要がある。
【００１９】
そこで、室内機１６による暖房から、床暖パネル７３による床暖房に切り換える際のフローを、図４のフローチャートに基づいて説明する。
初期状態としては、それまでは、室内機１６で暖房を行っているので、室外機１は暖房運転モードとなっている。また、第１加熱装置用第１弁３８および第１加熱装置用第２弁５８は開いた状態であり、一方、第２加熱装置用第１弁４２および第２加熱装置用第２弁６２は閉じた状態である。
【００２０】
そして、ステップ１において、室内機用コントローラ８２による暖房の停止信号および床暖房コントローラ８３による床暖房の開始信号が制御装置８１に入力されると、制御装置８１は室外機１を停止状態にさせるとともに、第１加熱装置用第２弁５８を閉じる。ついで、ステップ２において、制御装置８１は室外機１の四方切換弁１２を作動させて、室外機１を冷房運転モードに切り換え、ステップ３に行く。ステップ３において、制御装置８１は室外機１を、予め設定されている所定の冷媒回収時間（たとえば、約３分）の間、運転させる。このステップ３において、室内機１６などに溜まっていた冷媒が、室外機１側に回収される。
【００２１】
ついで、ステップ４において、制御装置８１は第１加熱装置用第１弁３８を閉じ、ステップ５に行く。ステップ５において、制御装置８１は第２加熱装置用第１弁４２および第２加熱装置用第２弁６２を開ける。そして、ステップ６において、制御装置８１は室外機１を暖房運転モードに切り換える。この様にして、室内機１６による暖房から、冷媒を室外機１側に回収した後に、床暖房に切り換えることができる。
【００２２】
なお、第１加熱装置用第１弁３８が開き、かつ、第１加熱装置用第２弁５８が閉じた状態で、室外機１の冷房運転が行われ、室内機１６などに溜まっていた冷媒が室外機１側に回収され、その後、第１加熱装置用第１弁３８および第１加熱装置用第２弁５８が閉じ、かつ、第２加熱装置用第１弁４２および第２加熱装置用第２弁６２が開いた状態となるならば、上記フローのステップの順番は適宜変更可能である。たとえば、第１加熱装置用第２弁５８を閉じる時期は、ステップ３より前であれば何時でも可能である。第２加熱装置用第２弁６２を開ける時期は、ステップ６以前であれば何時でも可能である。
【００２３】
また、床暖パネル７３による床暖房から、室内機１６による暖房に切り換える際には、前述の室内機１６による暖房から床暖パネル７３による床暖房に切り換える際のフローと略同様にして行われる。ただし、図４のフローチャートにおける第１加熱装置用第２弁５８は第２加熱装置用第２弁６２に、第１加熱装置用第１弁３８は第２加熱装置用第１弁４２に、第２加熱装置用第１弁４２は第１加熱装置用第１弁３８に、また、第２加熱装置用第２弁６２は第１加熱装置用第２弁５８に読み替える。
【００２４】
この様にして、制御手段である制御装置８１は、室外機からの冷媒による加熱を第１加熱装置（室内機１６）から第２加熱装置（温水ユニット１７）に切り換える（すなわち、制御装置に暖房切換信号が入力または生成された）際に、室外機の第１冷媒口が第１加熱装置の第１冷媒口に接続されている状態で、暖房運転モードの室外機を一旦冷房運転モードに切り換えるとともに、第２流路切換手段を作動させて室外機の第２冷媒口と第１加熱装置の第２冷媒口との接続を遮断して、第１加熱装置の冷媒を室外機側に回収する第１手段と、この第１手段の作動の後に、室外機の第１冷媒口が第２加熱装置の第１冷媒口に、また、室外機の第２冷媒口が第２加熱装置の第２冷媒口に接続された状態で、室外機を暖房運転モードに切り換えている第２手段などを具備している。
この様に、制御手段としての制御装置８１は、上記手段以外にも、実行される各工程に対応して各工程を実行する手段を具備している。
【００２５】
上記実施例の切換ユニット３１の流路切換機構は４個の開閉弁３８，４２，５８，６２で構成されているが、室外機１の第１冷媒口１３からの流路を室内機１６の第１冷媒口４１への流路または温水ユニット１７の第１冷媒口４３への流路に接続したり、また、室外機１の第２冷媒口２４からの流路を室内機１６の第２冷媒口６１への流路または温水ユニット１７の第２冷媒口６３への流路に接続したりすることができるならば、その具体的構成は適宜変更可能である。たとえば、後述する図５に図示するように三方弁を用いたり、また図６に図示するように四方弁を用いたりすることができる。さらに、図５の三方弁は何れか一方の流路に接続する二位置制御であるが、この何れか一方の流路に接続する二位置とは別に、両流路への流れを遮断する中立位置を有する三位置制御の弁にすることも可能である。
【００２６】
図５は切換ユニットを三方弁で構成した場合の回路図で、（ａ）が室内機の暖房運転時の図、（ｂ）が冷媒回収時の図、（ｃ）が温水ユニットの暖房運転時の図である。なお、図５の説明において、上記図１の実施例の構成要素に対応する構成要素には同一符号を付して、その詳細な説明は省略する。
第１流路３３から第１加熱装置用第１分岐路３６および第２加熱装置用第１分岐路３７に分岐する分岐部に第１流路切換手段としての第１三方弁８６が、また、第２流路３４から第１加熱装置用第２分岐路５６および第２加熱装置用第２分岐路５７に分岐する分岐部に第２流路切換手段としての第２三方弁８７が設けられている。
【００２７】
この電動式の三方弁８６，８７は制御装置８１で制御されている。そして、上述のステップ１において、第１加熱装置用第２弁５８を閉じる代わりに、第２三方弁８７を作動させて、第２流路３４と第１加熱装置用第２分岐路５６との間の流れを遮断し、第２流路３４と第２加熱装置用第２分岐路５７との間の流れを許容させる。
また、上述のステップ４において、第１加熱装置用第１弁３８を閉じる代わりに、第１三方弁８６を作動させて、第１流路３３と第１加熱装置用第１分岐路３６との間の流れを遮断し、第１流路３３と第２加熱装置用第１分岐路３７との間の流れを許容させる。
さらに、上述のステップ５においては、第２加熱装置用第１弁４２および第２加熱装置用第２弁６２を開けているが、図５の三方弁の場合には、既に第１流路３３と第２加熱装置用第１分岐路３７との流れ、および、第２流路３４と第２加熱装置用第２分岐路５７との流れは、ステップ４およびステップ１で、許容されている。ステップ５は、図５の三方弁の場合には、実行されない。
【００２８】
図６は切換ユニットを四方弁で構成した場合の回路図で、（ａ）が室内機の暖房運転時の図、（ｂ）が冷媒回収時の図、（ｃ）が温水ユニットの暖房運転時の図である。なお、図６の説明において、上記図５の構成要素に対応する構成要素には同一符号を付して、その詳細な説明は省略する。
図５の三方弁８６，８７の代わりに、電動式の四方弁９１，９２が設けられている。第１四方弁９１の第４ポート９１ａと第２四方弁９２の第４ポート９２ａとが弁９３を介して接続されている。この弁９３は常時閉じており、第１四方弁９１の第４ポート９１ａおよび第２四方弁９２の第４ポート９２ａは封止されている。そして、四方弁９１，９２は三方弁８６，８７と同じ働きを行う。
【００２９】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
【００３０】
（１）実施例では、加熱装置は室内機１６や温水ユニット１７であるが、他の加熱装置でも可能である。たとえば、給湯機などでも可能である。
（２）切換ユニット３１への切り換え指令は、手動で行うことも可能であるし、また、自動で行うことも可能である。
【産業上の利用可能性】
【００３１】
加熱装置の切り換え時に、冷媒を室外機側に回収することにより、複数の加熱装置を交互に円滑に切り換えて使用することができる。したがって、加熱装置としての空調用室内機、床暖房用温水ユニットや給湯機などを複数設置して、交互に使用する用途に適用できる。
【図面の簡単な説明】
【００３２】
【図１】図１は本発明における実施例のヒートポンプ式加熱システムの概略図である。
【図２】図２は室外機の冷媒回路図で、（ａ）が暖房運転モード時の状態の図、（ｂ）が冷房運転モード時の状態の図である。
【図３】図３は制御装置の入出力図である。
【図４】図４は加熱装置の切り換え時のフローチャートである。
【図５】図５は切換ユニットを三方弁で構成した場合の回路図で、（ａ）が室内機の暖房運転時の図、（ｂ）が冷媒回収時の図、（ｃ）が温水ユニットの暖房運転時の図である。
【図６】図６は切換ユニットを四方弁で構成した場合の回路図で、（ａ）が室内機の暖房運転時の図、（ｂ）が冷媒回収時の図、（ｃ）が温水ユニットの暖房運転時の図である。
【符号の説明】
【００３３】
１  ヒートポンプ式の室外機
１１  圧縮機
１３  室外機の第１冷媒口
１６  空調用室内機（第１加熱装置）
１７  温水ユニット（第２加熱装置）
２４  室外機の第２冷媒口
２６  膨張弁
２７  熱交換器
２８  アキュムレータ
３３  切換ユニットの第１流路
３４  切換ユニットの第２流路
３６  第１加熱装置用第１分岐路
３７  第２加熱装置用第１分岐路
３８  第１加熱装置用第１弁（第１流路切換手段）
４１  室内機の第１冷媒口
４２  第２加熱装置用第１弁（第１流路切換手段）
４３  温水ユニットの第１冷媒口
５６  第１加熱装置用第２分岐路
５７  第２加熱装置用第２分岐路
５８  第１加熱装置用第２弁（第２流路切換手段）
６１  室内機の第２冷媒口
６２  第２加熱装置用第２弁（第２流路切換手段）
６３  温水ユニットの第２冷媒口
８１  制御装置（制御手段）
８６  第１三方弁（第１流路切換手段）
８７  第２三方弁（第２流路切換手段）
９１  第１四方弁（第１流路切換手段）
９２  第２四方弁（第２流路切換手段）
【図１】
2005164202.tif 000003
【図２】
2005164202.tif 000004
【図３】
2005164202.tif 000005
【図４】
2005164202.tif 000006
【図５】
2005164202.tif 000007
【図６】
2005164202.tif 000008